(57)【要約】【課題】オーダーメイド医療の実用化に伴って複雑化する治療・投薬体系における医療過誤を防止することができる医療過誤防止システム等を提供することを課題とする。【解決手段】本発明にかかる医療過誤防止システムは、医療過誤防止装置１００において、バイオメトリクスセンサ装置４００よりバイオメトリクス情報を取得し、格納された本人のバイオメトリクス情報に基づいて、取得されたバイオメトリクス情報を認証し、取得されたバイオメトリクス情報が本人のバイオメトリクス情報であることが認証された場合、格納されたカード型装置識別情報を発行する。【選択図】      図２
2004287620.tif 000002
【特許請求の範囲】
【請求項１】
バイオメトリクス情報を検出するバイオメトリクスセンサ装置と、個人情報管理用装置と、医療過誤防止装置と、上記個人情報管理用装置に対して情報の読取および／または書込をするアクセス装置とを含んだ医療過誤防止システムであって、
上記個人情報管理用装置は、
本人の身体的特徴に関する情報または身体的特性に関する情報である上記バイオメトリクス情報を格納するバイオメトリクス情報格納手段と、
上記個人情報管理用装置を一意に識別するための装置識別情報を格納する装置識別情報格納手段と、
を備え、
上記医療過誤防止装置は、
上記バイオメトリクスセンサ装置より上記バイオメトリクス情報を取得するバイオメトリクス情報取得手段と、
上記バイオメトリクス情報格納手段により格納された上記本人の上記バイオメトリクス情報に基づいて、上記バイオメトリクス情報取得手段により取得された上記バイオメトリクス情報を認証する本人認証手段と、
上記バイオメトリクス情報取得手段により取得された上記バイオメトリクス情報が上記本人の上記バイオメトリクス情報であることが上記本人認証手段により認証された場合、上記装置識別情報格納手段により格納された上記装置識別情報を発行する装置識別情報発行手段と、
を備えたことを特徴とする医療過誤防止システム。
【請求項２】
上記医療過誤防止装置は、
医師が作成した処方箋情報を取得する処方箋情報取得手段と、
上記処方箋情報取得手段により取得された上記処方箋情報に、上記装置識別情報発行手段により発行された上記装置識別情報を付加する装置識別情報付加手段と、
上記装置識別情報付加手段により上記装置識別情報が付加された上記処方箋情報を登録する装置識別情報付処方箋情報登録手段と、
をさらに備えたことを特徴とする請求項１に記載の医療過誤防止システム。
【請求項３】
上記医療過誤防止装置は、
上記装置識別情報を取得する装置識別情報取得手段と、
上記装置識別情報取得手段により取得された上記装置識別情報と、上記装置識別情報発行手段により発行された上記装置識別情報との一致を確認する装置識別情報一致確認手段と、
をさらに備えたことを特徴とする請求項１または２に記載の医療過誤防止システム。
【請求項４】
上記個人情報管理用装置は、
上記本人の遺伝子多型情報を格納する遺伝子多型情報格納手段、
をさらに備え、
上記医療過誤防止装置は、
上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、
上記遺伝子多型情報取得手段により取得された上記本人の上記遺伝子多型情報を上記個人情報管理用装置に登録する遺伝子多型情報登録手段と、
をさらに備えたことを特徴とする請求項１から３のいずれか一つに記載の医療過誤防止システム。
【請求項５】
上記遺伝子多型情報は、
ＳＮＰ情報、マイクロサテライト情報、ハプロタイプ情報のうち少なくとも一つであること、
を特徴とする請求項１から４のいずれか一つに記載の医療過誤防止システム。
【請求項６】
バイオメトリクス情報を検出するバイオメトリクスセンサ装置と、個人情報管理用装置と、医療過誤防止装置と、上記個人情報管理用装置に対して情報の読取および／または書込をするアクセス装置とを含んだ医療過誤防止システムを用いて実行される医療過誤防止方法であって、
上記個人情報管理用装置において、本人の身体的特徴に関する情報または身体的特性に関する情報である上記バイオメトリクス情報を格納するバイオメトリクス情報格納ステップと、
上記個人情報管理用装置において、上記個人情報管理用装置を一意に識別するための装置識別情報を格納する装置識別情報格納ステップと、
上記医療過誤防止装置において、上記バイオメトリクスセンサ装置より上記バイオメトリクス情報を取得するバイオメトリクス情報取得ステップと、
上記医療過誤防止装置において、上記バイオメトリクス情報格納ステップにより格納された上記本人の上記バイオメトリクス情報に基づいて、上記バイオメトリクス情報取得ステップにより取得された上記バイオメトリクス情報を認証する本人認証ステップと、
上記医療過誤防止装置において、上記バイオメトリクス情報取得ステップにより取得された上記バイオメトリクス情報が上記本人の上記バイオメトリクス情報であることが上記本人認証ステップにより認証された場合、上記装置識別情報格納ステップにより格納された上記装置識別情報を発行する装置識別情報発行ステップと、
を含むことを特徴とする医療過誤防止方法。
【請求項７】
上記医療過誤防止装置において、医師が作成した処方箋情報を取得する処方箋情報取得ステップと、
上記医療過誤防止装置において、上記処方箋情報取得ステップにより取得された上記処方箋情報に、上記装置識別情報発行ステップにより発行された上記装置識別情報を付加する装置識別情報付加ステップと、
上記医療過誤防止装置において、上記装置識別情報付加ステップにより上記装置識別情報が付加された上記処方箋情報を登録する装置識別情報付処方箋情報登録ステップと、
をさらに含むことを特徴とする請求項６に記載の医療過誤防止方法。
【請求項８】
上記医療過誤防止装置において、上記装置識別情報を取得する装置識別情報取得ステップと、
上記医療過誤防止装置において、上記装置識別情報取得ステップにより取得された上記装置識別情報と、上記装置識別情報発行ステップにより発行された上記装置識別情報との一致を確認する装置識別情報一致確認ステップと、
をさらに含むことを特徴とする請求項６または７に記載の医療過誤防止方法。
【請求項９】
上記個人情報管理用装置において、上記本人の遺伝子多型情報を格納する遺伝子多型情報格納ステップ、
をさらに含み、
上記医療過誤防止装置において、上記装置識別情報取得ステップにより取得された上記装置識別情報と上記装置識別情報発行ステップにより発行された上記装置識別情報との一致が上記装置識別情報一致確認ステップにより確認された場合、上記本人の上記遺伝子多型情報を取得する遺伝子多型情報取得ステップと、
上記医療過誤防止装置において、上記遺伝子多型情報取得ステップにより取得された上記本人の上記遺伝子多型情報を上記個人情報管理用装置に登録する遺伝子多型情報登録ステップと、
をさらに含むことを特徴とする請求項６から８のいずれか一つに記載の医療過誤防止方法。
【請求項１０】
上記遺伝子多型情報は、
ＳＮＰ情報、マイクロサテライト情報、ハプロタイプ情報のうち少なくとも一つであること、
を特徴とする請求項６から９のいずれか一つに記載の医療過誤防止方法。
【請求項１１】
バイオメトリクスセンサ装置より本人の身体的特徴に関する情報または身体的特性に関する情報であるバイオメトリクス情報を取得するバイオメトリクス情報取得手段と、
個人情報管理用装置に格納された上記本人の上記バイオメトリクス情報に基づいて、上記バイオメトリクス情報取得手段により取得された上記バイオメトリクス情報を認証する本人認証手段と、
上記バイオメトリクス情報取得手段により取得された上記バイオメトリクス情報が上記本人の上記バイオメトリクス情報であることが上記本人認証手段により認証された場合、上記個人情報管理用装置に格納された上記個人情報管理用装置を一意に識別するための装置識別情報を発行する装置識別情報発行手段と、
を備えたことを特徴とする医療過誤防止装置。
【請求項１２】
医師が作成した処方箋情報を取得する処方箋情報取得手段と、
上記処方箋情報取得手段により取得された上記処方箋情報に、上記装置識別情報発行手段により発行された上記装置識別情報を付加する装置識別情報付加手段と、
上記装置識別情報付加手段により上記装置識別情報が付加された上記処方箋情報を登録する装置識別情報付処方箋情報登録手段と、
をさらに備えたことを特徴とする請求項１１に記載の医療過誤防止装置。
【請求項１３】
上記装置識別情報を取得する装置識別情報取得手段と、
上記装置識別情報取得手段により取得された上記装置識別情報と、上記装置識別情報発行手段により発行された上記装置識別情報との一致を確認する装置識別情報一致確認手段と、
をさらに備えたことを特徴とする請求項１１または１２に記載の医療過誤防止装置。
【請求項１４】
上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、
上記遺伝子多型情報取得手段により取得された上記本人の上記遺伝子多型情報を上記個人情報管理用装置に登録する遺伝子多型情報登録手段と、
をさらに備えたことを特徴とする請求項１１から１３のいずれか一つに記載の医療過誤防止装置。
【請求項１５】
上記遺伝子多型情報は、
ＳＮＰ情報、マイクロサテライト情報、ハプロタイプ情報のうち少なくとも一つであること、
を特徴とする請求項１１から１４のいずれか一つに記載の医療過誤防止装置。
【請求項１６】
医療過誤防止装置を、
バイオメトリクスセンサ装置より本人の身体的特徴に関する情報または身体的特性に関する情報であるバイオメトリクス情報を取得するバイオメトリクス情報取得手段と、
個人情報管理用装置に格納された上記本人の上記バイオメトリクス情報に基づいて、上記バイオメトリクス情報取得手段により取得された上記バイオメトリクス情報を認証する本人認証手段と、
上記バイオメトリクス情報取得手段により取得された上記バイオメトリクス情報が上記本人の上記バイオメトリクス情報であることが上記本人認証手段により認証された場合、上記個人情報管理用装置に格納された上記個人情報管理用装置を一意に識別するための装置識別情報を発行する装置識別情報発行手段と、
として機能させるためのプログラム。
【請求項１７】
医師が作成した処方箋情報を取得する処方箋情報取得手段と、
上記処方箋情報取得手段により取得された上記処方箋情報に、上記装置識別情報発行手段により発行された上記装置識別情報を付加する装置識別情報付加手段と、
上記装置識別情報付加手段により上記装置識別情報が付加された上記処方箋情報を登録する装置識別情報付処方箋情報登録手段と、
をさらに備えたことを特徴とする請求項１６に記載のプログラム。
【請求項１８】
上記装置識別情報を取得する装置識別情報取得手段と、
上記装置識別情報取得手段により取得された上記装置識別情報と、上記装置識別情報発行手段により発行された上記装置識別情報との一致を確認する装置識別情報一致確認手段と、
をさらに備えたことを特徴とする請求項１６または１７に記載のプログラム。
【請求項１９】
上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、
上記遺伝子多型情報取得手段により取得された上記本人の上記遺伝子多型情報を上記個人情報管理用装置に登録する遺伝子多型情報登録手段と、
をさらに備えたことを特徴とする請求項１６から１８のいずれか一つに記載のプログラム。
【請求項２０】
上記遺伝子多型情報は、
ＳＮＰ情報、マイクロサテライト情報、ハプロタイプ情報のうち少なくとも一つであること、
を特徴とする請求項１６から１９のいずれか一つに記載のプログラム。
【発明の詳細な説明】
【０００１】
【発明の属する技術分野】
本発明は、医療過誤防止システム、医療過誤防止方法、医療過誤防止装置、および、医療過誤防止装置において実行されるプログラムに関し、特に、オーダーメイド医療の実用化に伴って複雑化する治療・投薬体系における医療過誤を防止することができる医療過誤防止システム、医療過誤防止方法、医療過誤防止装置、および、医療過誤防止装置において実行されるプログラムに関する。
【０００２】
【従来の技術】
現在、医療現場では患者の取り違えによる投薬ミス、輸血ミスなどが発生しており、その多くは単純なヒューマンエラーが原因とされている。
【０００３】
このような投薬ミスが起こる背景には、１．診察は診察室で行われる、２．診察後の処方箋は医師の手書きによって記入される、３．処方薬は薬剤師によって薬剤部で調合される、４．患者への投薬は病室で看護士によって行われる、という、多くのプレイヤーがそれぞれ異なる場所で患者への一連の治療行為に関わっていることが挙げられる。
【０００４】
このような現状において、医療機関では、診断書や処方箋をバーコード管理するという手法で、患者取り違え防止を行っている。
【０００５】
また、今後、個人の遺伝子型に応じたオーダーメイド医療が実現されるにあたって、投薬・治療体系は一人一人にカスタマイズされるので複雑化が予想されるため、医療過誤を防止するための仕組みの重要性は一層高まると考えられる。
【０００６】
【発明が解決しようとする課題】
しかしながら、このバーコード管理するという手法は、患者本人と処方箋を確実に結びつけるまでには至っていないという問題点がある。
【０００７】
具体的には、例えば、Ａさんという人物のために適切に処方された薬でも、投薬を行おうとしている患者が間違いなくＡさんであるという確認はバーコードでは不可能であるという問題点がある。
【０００８】
このように、従来のシステム等は数々の問題点を有しており、その結果、システムの利用者および管理者のいずれにとっても、利便性が悪く、また、利用効率が悪いものであった。
【０００９】
本発明は上記問題点に鑑みてなされたもので、オーダーメイド医療の実用化に伴って複雑化する治療・投薬体系における医療過誤を防止することができる医療過誤防止システム、医療過誤防止方法、医療過誤防止装置、および、医療過誤防止装置において実行されるプログラムを提供することを目的としている。
【００１０】
【課題を解決するための手段】
このような目的を達成するために、請求項１に記載の医療過誤防止システムは、バイオメトリクス情報を検出するバイオメトリクスセンサ装置と、個人情報管理用装置と、医療過誤防止装置と、上記個人情報管理用装置に対して情報の読取および／または書込をするアクセス装置とを含んだ医療過誤防止システムであって、上記個人情報管理用装置は、本人の身体的特徴に関する情報または身体的特性に関する情報である上記バイオメトリクス情報を格納するバイオメトリクス情報格納手段と、上記個人情報管理用装置を一意に識別するための装置識別情報を格納する装置識別情報格納手段とを備え、上記医療過誤防止装置は、上記バイオメトリクスセンサ装置より上記バイオメトリクス情報を取得するバイオメトリクス情報取得手段と、上記バイオメトリクス情報格納手段により格納された上記本人の上記バイオメトリクス情報に基づいて、上記バイオメトリクス情報取得手段により取得された上記バイオメトリクス情報を認証する本人認証手段と、上記バイオメトリクス情報取得手段により取得された上記バイオメトリクス情報が上記本人の上記バイオメトリクス情報であることが上記本人認証手段により認証された場合、上記装置識別情報格納手段により格納された上記装置識別情報を発行する装置識別情報発行手段とを備えたことを特徴とする。
【００１１】
このシステムによれば、個人情報管理用装置は、本人の身体的特徴に関する情報または身体的特性に関する情報であるバイオメトリクス情報を格納し、個人情報管理用装置を一意に識別するための装置識別情報を格納し、医療過誤防止装置は、バイオメトリクスセンサ装置よりバイオメトリクス情報を取得し、格納された本人のバイオメトリクス情報に基づいて、取得されたバイオメトリクス情報を認証し、取得されたバイオメトリクス情報が本人のバイオメトリクス情報であることが認証された場合、格納された装置識別情報を発行するので、今までセキュリティとして主に用いられてきたバイオメトリクス認証技術を、本人と「何か（例えば、処方箋、処方薬、採血管、遺伝子多型情報など）」を確実に結びつけるために使うことができる。
【００１２】
また、オーダーメイド医療の実用化に伴って複雑化する治療・投薬体系における医療過誤を確実に防止することができる。
【００１３】
また、医療機関における患者の取り違えを確実に防止することができる。
【００１４】
また、発行された装置識別情報を紙媒体などに付加してもよい。これにより、付加された装置識別情報を光学式リーダ装置などで読み取ることで、本人と「何か（例えば、処方箋、処方薬、採血管、遺伝子多型情報など）」を確実に結びつけることができる。
【００１５】
また、請求項２に記載の医療過誤防止システムは、請求項１に記載の医療過誤防止システムにおいて、上記医療過誤防止装置は、医師が作成した処方箋情報を取得する処方箋情報取得手段と、上記処方箋情報取得手段により取得された上記処方箋情報に、上記装置識別情報発行手段により発行された上記装置識別情報を付加する装置識別情報付加手段と、上記装置識別情報付加手段により上記装置識別情報が付加された上記処方箋情報を登録する装置識別情報付処方箋情報登録手段とをさらに備えたことを特徴とする。
【００１６】
このシステムによれば、医療過誤防止装置は、医師が作成した処方箋情報を取得し、取得された処方箋情報に、発行された装置識別情報を付加し、装置識別情報が付加された処方箋情報を登録するので、処方箋情報と患者本人とを確実に関連付けることができる。
【００１７】
また、請求項３に記載の医療過誤防止システムは、請求項１または２に記載の医療過誤防止システムにおいて、上記医療過誤防止装置は、上記装置識別情報を取得する装置識別情報取得手段と、上記装置識別情報取得手段により取得された上記装置識別情報と、上記装置識別情報発行手段により発行された上記装置識別情報との一致を確認する装置識別情報一致確認手段とをさらに備えたことを特徴とする。
【００１８】
このシステムによれば、医療過誤防止装置は、装置識別情報を取得し、取得された装置識別情報と、発行された装置識別情報との一致を確認するので、取得された装置識別情報が患者本人の装置識別情報であることを確実に確認することができる。
【００１９】
また、請求項４に記載の医療過誤防止システムは、請求項１から３のいずれか一つに記載の医療過誤防止システムにおいて、上記個人情報管理用装置は、上記本人の遺伝子多型情報を格納する遺伝子多型情報格納手段をさらに備え、上記医療過誤防止装置は、上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、上記遺伝子多型情報取得手段により取得された上記本人の上記遺伝子多型情報を上記個人情報管理用装置に登録する遺伝子多型情報登録手段とをさらに備えたことを特徴とする。
【００２０】
このシステムによれば、個人情報管理用装置は、本人の遺伝子多型情報を格納し、医療過誤防止装置は、取得された装置識別情報と発行された装置識別情報との一致が確認された場合、本人の遺伝子多型情報を取得し、取得された本人の遺伝子多型情報を個人情報管理用装置に登録するので、本人の遺伝子多型情報を個人情報管理用装置に確実に登録することができる。
【００２１】
また、請求項５に記載の医療過誤防止システムは、請求項１から４のいずれか一つに記載の医療過誤防止システムにおいて、上記遺伝子多型情報は、ＳＮＰ情報、マイクロサテライト情報、ハプロタイプ情報のうち少なくとも一つであることを特徴とする。
【００２２】
これは遺伝子多型情報の一例を一層具体的に示すものである。このシステムによれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００２３】
また、本発明は医療過誤防止方法に関するものであり、請求項６に記載の医療過誤防止方法は、バイオメトリクス情報を検出するバイオメトリクスセンサ装置と、個人情報管理用装置と、医療過誤防止装置と、上記個人情報管理用装置に対して情報の読取および／または書込をするアクセス装置とを含んだ医療過誤防止システムを用いて実行される医療過誤防止方法であって、上記個人情報管理用装置において、本人の身体的特徴に関する情報または身体的特性に関する情報である上記バイオメトリクス情報を格納するバイオメトリクス情報格納ステップと、上記個人情報管理用装置において、上記個人情報管理用装置を一意に識別するための装置識別情報を格納する装置識別情報格納ステップと、上記医療過誤防止装置において、上記バイオメトリクスセンサ装置より上記バイオメトリクス情報を取得するバイオメトリクス情報取得ステップと、上記医療過誤防止装置において、上記バイオメトリクス情報格納ステップにより格納された上記本人の上記バイオメトリクス情報に基づいて、上記バイオメトリクス情報取得ステップにより取得された上記バイオメトリクス情報を認証する本人認証ステップと、上記医療過誤防止装置において、上記バイオメトリクス情報取得ステップにより取得された上記バイオメトリクス情報が上記本人の上記バイオメトリクス情報であることが上記本人認証ステップにより認証された場合、上記装置識別情報格納ステップにより格納された上記装置識別情報を発行する装置識別情報発行ステップとを含むことを特徴とする。
【００２４】
この方法によれば、個人情報管理用装置において、本人の身体的特徴に関する情報または身体的特性に関する情報であるバイオメトリクス情報を格納し、個人情報管理用装置において、個人情報管理用装置を一意に識別するための装置識別情報を格納し、医療過誤防止装置において、バイオメトリクスセンサ装置よりバイオメトリクス情報を取得し、医療過誤防止装置において、格納された本人のバイオメトリクス情報に基づいて、取得されたバイオメトリクス情報を認証し、医療過誤防止装置において、取得されたバイオメトリクス情報が本人のバイオメトリクス情報であることが認証された場合、格納された装置識別情報を発行するので、今までセキュリティとして主に用いられてきたバイオメトリクス認証技術を、本人と「何か（例えば、処方箋、処方薬、採血管、遺伝子多型情報など）」を確実に結びつけるために使うことができる。
【００２５】
また、オーダーメイド医療の実用化に伴って複雑化する治療・投薬体系における医療過誤を確実に防止することができる。
【００２６】
また、医療機関における患者の取り違えを確実に防止することができる。
【００２７】
また、発行された装置識別情報を紙媒体などに付加してもよい。これにより、付加された装置識別情報を光学式リーダ装置などで読み取ることで、本人と「何か（例えば、処方箋、処方薬、採血管、遺伝子多型情報など）」を確実に結びつけることができる。
【００２８】
また、請求項７に記載の医療過誤防止方法は、請求項６に記載の医療過誤防止方法において、上記医療過誤防止装置において、医師が作成した処方箋情報を取得する処方箋情報取得ステップと、上記医療過誤防止装置において、上記処方箋情報取得ステップにより取得された上記処方箋情報に、上記装置識別情報発行ステップにより発行された上記装置識別情報を付加する装置識別情報付加ステップと、上記医療過誤防止装置において、上記装置識別情報付加ステップにより上記装置識別情報が付加された上記処方箋情報を登録する装置識別情報付処方箋情報登録ステップとをさらに含むことを特徴とする。
【００２９】
この方法によれば、医療過誤防止装置において、医師が作成した処方箋情報を取得し、医療過誤防止装置において、取得された処方箋情報に、発行された装置識別情報を付加し、医療過誤防止装置において、装置識別情報が付加された処方箋情報を登録するので、処方箋情報と患者本人とを確実に関連付けることができる。
【００３０】
また、請求項８に記載の医療過誤防止方法は、請求項６または７に記載の医療過誤防止方法において、上記医療過誤防止装置において、上記装置識別情報を取得する装置識別情報取得ステップと、上記医療過誤防止装置において、上記装置識別情報取得ステップにより取得された上記装置識別情報と、上記装置識別情報発行ステップにより発行された上記装置識別情報との一致を確認する装置識別情報一致確認ステップとをさらに含むことを特徴とする。
【００３１】
この方法によれば、医療過誤防止装置において、装置識別情報を取得し、医療過誤防止装置において、取得された装置識別情報と、発行された装置識別情報との一致を確認するので、取得された装置識別情報が患者本人の装置識別情報であることを確実に確認することができる。
【００３２】
また、請求項９に記載の医療過誤防止方法は、請求項６から８のいずれか一つに記載の医療過誤防止方法において、上記個人情報管理用装置において、上記本人の遺伝子多型情報を格納する遺伝子多型情報格納ステップをさらに含み、上記医療過誤防止装置において、上記装置識別情報取得ステップにより取得された上記装置識別情報と上記装置識別情報発行ステップにより発行された上記装置識別情報との一致が上記装置識別情報一致確認ステップにより確認された場合、上記本人の上記遺伝子多型情報を取得する遺伝子多型情報取得ステップと、上記医療過誤防止装置において、上記遺伝子多型情報取得ステップにより取得された上記本人の上記遺伝子多型情報を上記個人情報管理用装置に登録する遺伝子多型情報登録ステップとをさらに含むことを特徴とする。
【００３３】
この方法によれば、個人情報管理用装置において、本人の遺伝子多型情報を格納し、医療過誤防止装置において、取得された装置識別情報と発行された装置識別情報との一致が確認された場合、本人の遺伝子多型情報を取得し、医療過誤防止装置において、取得された本人の遺伝子多型情報を個人情報管理用装置に登録するので、本人の遺伝子多型情報を個人情報管理用装置に確実に登録することができる。
【００３４】
また、請求項１０に記載の医療過誤防止方法は、請求項６から９のいずれか一つに記載の医療過誤防止方法において、上記遺伝子多型情報は、ＳＮＰ情報、マイクロサテライト情報、ハプロタイプ情報のうち少なくとも一つであることを特徴とする。
【００３５】
これは遺伝子多型情報の一例を一層具体的に示すものである。この方法によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００３６】
また、本発明は医療過誤防止装置に関するものであり、請求項１１に記載の医療過誤防止装置は、バイオメトリクスセンサ装置より本人の身体的特徴に関する情報または身体的特性に関する情報であるバイオメトリクス情報を取得するバイオメトリクス情報取得手段と、個人情報管理用装置に格納された上記本人の上記バイオメトリクス情報に基づいて、上記バイオメトリクス情報取得手段により取得された上記バイオメトリクス情報を認証する本人認証手段と、上記バイオメトリクス情報取得手段により取得された上記バイオメトリクス情報が上記本人の上記バイオメトリクス情報であることが上記本人認証手段により認証された場合、上記個人情報管理用装置に格納された上記個人情報管理用装置を一意に識別するための装置識別情報を発行する装置識別情報発行手段とを備えたことを特徴とする。
【００３７】
この装置によれば、バイオメトリクスセンサ装置より本人の身体的特徴に関する情報または身体的特性に関する情報であるバイオメトリクス情報を取得し、個人情報管理用装置に格納された本人のバイオメトリクス情報に基づいて、取得されたバイオメトリクス情報を認証し、取得されたバイオメトリクス情報が本人のバイオメトリクス情報であることが認証された場合、個人情報管理用装置に格納された個人情報管理用装置を一意に識別するための装置識別情報を発行するので、今までセキュリティとして主に用いられてきたバイオメトリクス認証技術を、本人と「何か（例えば、処方箋、処方薬、採血管、遺伝子多型情報など）」を確実に結びつけるために使うことができる。
【００３８】
また、オーダーメイド医療の実用化に伴って複雑化する治療・投薬体系における医療過誤を確実に防止することができる。
【００３９】
また、医療機関における患者の取り違えを確実に防止することができる。
【００４０】
また、発行された装置識別情報を紙媒体などに付加してもよい。これにより、付加された装置識別情報を光学式リーダ装置などで読み取ることで、本人と「何か（例えば、処方箋、処方薬、採血管、遺伝子多型情報など）」を確実に結びつけることができる。
【００４１】
また、請求項１２に記載の医療過誤防止装置は、請求項１１に記載の医療過誤防止装置において、医師が作成した処方箋情報を取得する処方箋情報取得手段と、上記処方箋情報取得手段により取得された上記処方箋情報に、上記装置識別情報発行手段により発行された上記装置識別情報を付加する装置識別情報付加手段と、上記装置識別情報付加手段により上記装置識別情報が付加された上記処方箋情報を登録する装置識別情報付処方箋情報登録手段とをさらに備えたことを特徴とする。
【００４２】
この装置によれば、医師が作成した処方箋情報を取得し、取得された処方箋情報に、発行された装置識別情報を付加し、装置識別情報が付加された処方箋情報を登録するので、処方箋情報と患者本人とを確実に関連付けることができる。
【００４３】
また、請求項１３に記載の医療過誤防止装置は、請求項１１または１２に記載の医療過誤防止装置において、上記装置識別情報を取得する装置識別情報取得手段と、上記装置識別情報取得手段により取得された上記装置識別情報と、上記装置識別情報発行手段により発行された上記装置識別情報との一致を確認する装置識別情報一致確認手段とをさらに備えたことを特徴とする。
【００４４】
この装置によれば、装置識別情報を取得し、取得された装置識別情報と、発行された装置識別情報との一致を確認するので、取得された装置識別情報が患者本人の装置識別情報であることを確実に確認することができる。
【００４５】
また、請求項１４に記載の医療過誤防止装置は、請求項１１から１３のいずれか一つに記載の医療過誤防止装置において、上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、上記遺伝子多型情報取得手段により取得された上記本人の上記遺伝子多型情報を上記個人情報管理用装置に登録する遺伝子多型情報登録手段とをさらに備えたことを特徴とする。
【００４６】
この装置によれば、取得された装置識別情報と発行された装置識別情報との一致が確認された場合、本人の遺伝子多型情報を取得し、取得された本人の遺伝子多型情報を個人情報管理用装置に登録するので、本人の遺伝子多型情報を個人情報管理用装置に確実に登録することができる。
【００４７】
また、請求項１５に記載の医療過誤防止装置は、請求項１１から１４のいずれか一つに記載の医療過誤防止装置において、上記遺伝子多型情報は、ＳＮＰ情報、マイクロサテライト情報、ハプロタイプ情報のうち少なくとも一つであることを特徴とする。
【００４８】
これは遺伝子多型情報の一例を一層具体的に示すものである。この装置によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００４９】
また、本発明はプログラムに関するものであり、請求項１６に記載のプログラムは、医療過誤防止装置を、バイオメトリクスセンサ装置より本人の身体的特徴に関する情報または身体的特性に関する情報であるバイオメトリクス情報を取得するバイオメトリクス情報取得手段と、個人情報管理用装置に格納された上記本人の上記バイオメトリクス情報に基づいて、上記バイオメトリクス情報取得手段により取得された上記バイオメトリクス情報を認証する本人認証手段と、上記バイオメトリクス情報取得手段により取得された上記バイオメトリクス情報が上記本人の上記バイオメトリクス情報であることが上記本人認証手段により認証された場合、上記個人情報管理用装置に格納された上記個人情報管理用装置を一意に識別するための装置識別情報を発行する装置識別情報発行手段と、として機能させることを特徴とする。
【００５０】
このプログラムによれば、バイオメトリクスセンサ装置より本人の身体的特徴に関する情報または身体的特性に関する情報であるバイオメトリクス情報を取得し、個人情報管理用装置に格納された本人のバイオメトリクス情報に基づいて、取得されたバイオメトリクス情報を認証し、取得されたバイオメトリクス情報が本人のバイオメトリクス情報であることが認証された場合、個人情報管理用装置に格納された個人情報管理用装置を一意に識別するための装置識別情報を発行するので、今までセキュリティとして主に用いられてきたバイオメトリクス認証技術を、本人と「何か（例えば、処方箋、処方薬、採血管、遺伝子多型情報など）」を確実に結びつけるために使うことができる。
【００５１】
また、オーダーメイド医療の実用化に伴って複雑化する治療・投薬体系における医療過誤を確実に防止することができる。
【００５２】
また、医療機関における患者の取り違えを確実に防止することができる。
【００５３】
また、発行された装置識別情報を紙媒体などに付加してもよい。これにより、付加された装置識別情報を光学式リーダ装置などで読み取ることで、本人と「何か（例えば、処方箋、処方薬、採血管、遺伝子多型情報など）」を確実に結びつけることができる。
【００５４】
また、請求項１７に記載のプログラムは、請求項１６に記載のプログラムにおいて、医師が作成した処方箋情報を取得する処方箋情報取得手段と、上記処方箋情報取得手段により取得された上記処方箋情報に、上記装置識別情報発行手段により発行された上記装置識別情報を付加する装置識別情報付加手段と、上記装置識別情報付加手段により上記装置識別情報が付加された上記処方箋情報を登録する装置識別情報付処方箋情報登録手段とをさらに備えたことを特徴とする。
【００５５】
このプログラムによれば、医師が作成した処方箋情報を取得し、取得された処方箋情報に、発行された装置識別情報を付加し、装置識別情報が付加された処方箋情報を登録するので、処方箋情報と患者本人とを確実に関連付けることができる。
【００５６】
また、請求項１８に記載のプログラムは、請求項１６または１７に記載のプログラムにおいて、上記装置識別情報を取得する装置識別情報取得手段と、上記装置識別情報取得手段により取得された上記装置識別情報と、上記装置識別情報発行手段により発行された上記装置識別情報との一致を確認する装置識別情報一致確認手段とをさらに備えたことを特徴とする。
【００５７】
このプログラムによれば、装置識別情報を取得し、取得された装置識別情報と、発行された装置識別情報との一致を確認するので、取得された装置識別情報が患者本人の装置識別情報であることを確実に確認することができる。
【００５８】
また、請求項１９に記載のプログラムは、請求項１６から１８のいずれか一つに記載のプログラムにおいて、上記装置識別情報取得手段により取得された上記装置識別情報と上記装置識別情報発行手段により発行された上記装置識別情報との一致が上記装置識別情報一致確認手段により確認された場合、上記本人の上記遺伝子多型情報を取得する遺伝子多型情報取得手段と、上記遺伝子多型情報取得手段により取得された上記本人の上記遺伝子多型情報を上記個人情報管理用装置に登録する遺伝子多型情報登録手段とをさらに備えたことを特徴とする。
【００５９】
このプログラムによれば、取得された装置識別情報と発行された装置識別情報との一致が確認された場合、本人の遺伝子多型情報を取得し、取得された本人の遺伝子多型情報を個人情報管理用装置に登録するので、本人の遺伝子多型情報を個人情報管理用装置に確実に登録することができる。
【００６０】
また、請求項２０に記載のプログラムは、請求項１６から１９のいずれか一つに記載のプログラムにおいて、上記遺伝子多型情報は、ＳＮＰ情報、マイクロサテライト情報、ハプロタイプ情報のうち少なくとも一つであることを特徴とする。
【００６１】
これは遺伝子多型情報の一例を一層具体的に示すものである。このプログラムによれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００６２】
【発明の実施の形態】
以下に、本発明にかかる医療過誤防止システム、医療過誤防止方法、医療過誤防止装置、および、医療過誤防止装置において実行されるプログラムの実施の形態を図面に基づいて詳細に説明する。なお、この実施の形態によりこの発明が限定されるものではない。なお、本発明において、個人情報管理用装置としてカード型の個人情報管理用装置（以下、個人情報管理用カード型装置と記載）を、アクセス装置として個人情報管理用カード型装置に対して情報の読取および／または書込をするアクセス装置（以下、カードアクセス装置と記載）を用いた場合を一例に説明するが、本発明はかかる場合に限定されるものではない。また、本発明において、遺伝子多型情報としてＳＮＰ情報を用いた場合を一例に説明するが、本発明はかかる場合に限定されることなく、他の遺伝子多型情報（例えば、マイクロサテライト情報、ハプロタイプ情報など）を用いてもよい。
【００６３】
［本発明の概要］
以下、本発明の概要について説明し、その後、本発明の構成および処理等について詳細に説明する。図１は、本発明における医療過誤防止システムの概要を示す図であり、該概要のうち本医療過誤防止システムに関係する部分のみを概念的に示している。
【００６４】
本発明は、概略的に、以下の基本的特徴を有する。すなわち、図１に示すように、本発明の医療過誤防止システムは、概略的に、オーダーメイド医療の実用化に伴って複雑化する治療・投薬体系における医療過誤を防止することができる医療過誤防止装置１００と、個人情報を管理する個人情報管理用カード型装置２００と、個人情報管理用カード型装置２００に対して情報の読取および／または書込をするカードアクセス装置３００と、身体的特徴に関する情報または身体的特性に関する情報であるバイオメトリクス情報を検出するバイオメトリクスセンサ装置４００とを含んで構成される。
【００６５】
ここで、本発明において、医療過誤防止システムは、例えば、携帯型の医療過誤防止システムであってもよい。
【００６６】
ここで、本発明において、バイオメトリクスセンサ装置４００は、身体的特徴の一つである指紋を認証する装置である場合を一例に示しているが、かかる場合に限定されることなく、例えば、虹彩などの身体的特徴や、例えば、筆跡などの人間の動作等に関する身体的特性を認証する装置を用いてもよい。
【００６７】
また、本発明において、バイオメトリクスセンサ装置４００は、医療過誤防止装置１００に接続されている場合を一例に示しているが、かかる場合に限定されることなく、カードアクセス装置３００や個人情報管理用カード型装置２００に接続されてもよい。
【００６８】
また、本発明において、個人情報管理用カード型装置２００は、接触型のカード型装置である場合を一例に示しているが、かかる場合に限定されることなく、非接触型のカード型装置を用いてもよい。
【００６９】
次に、本発明の医療過誤防止システムの基本原理について、図２を参照して説明する。図２は、本発明における医療過誤防止システムの基本原理を示すフローチャートである。なお、本発明においては個人情報管理用カード型装置２００に予め必要な情報が格納されている場合を一例に説明する。
【００７０】
まず、医療過誤防止装置１００は、バイオメトリクスセンサ装置４００より身体的特徴に関する情報または身体的特性に関する情報であるバイオメトリクス情報を取得する（ステップＳ−１）。
【００７１】
ついで、医療過誤防止装置１００は、予め個人情報管理用カード型装置２００に格納された本人のバイオメトリクス情報に基づいて、取得されたバイオメトリクス情報を認証する（ステップＳ−２）。
【００７２】
さらに、医療過誤防止装置１００は、取得されたバイオメトリクス情報が本人のバイオメトリクス情報であることが認証された場合、予め個人情報管理用カード型装置２００に格納された個人情報管理用カード型装置２００を一意に識別するためのカード型装置識別情報を発行する（ステップＳ−３）。
【００７３】
ここで、医療機関において管理・運用されている医療システムに対し、本医療過誤防止システムを処方箋発行時に導入し、当該医療システムにおいて作成・管理されている医師の処方箋に対して、発行されたカード型装置識別情報を付加してもよい。これによって処方箋と患者本人とを確実に関連付けることができる。
【００７４】
なお、紙媒体の処方箋に対して、発行されたカード型装置識別情報を付加してもよい。
【００７５】
また、医療機関において管理・運用されている医療システムに対し、本医療過誤防止システムを投薬時にさらに導入し、投薬時に処方薬に付されたカード型装置識別情報と発行されたカード型装置識別情報との一致を確認してもよい。これによって処方薬と患者本人との関連が確認でき、医療過誤を効果的に防ぐことができる。
【００７６】
また、ＳＮＰ情報を抽出するための採血時に本医療過誤防止システムを導入し、発行されたカード型装置識別情報を採血管に貼り付けてもよい。これによって採血管と患者本人とが関連付けられる。
【００７７】
また、抽出したＳＮＰ情報の個人情報管理用カード型装置２００への登録時に本医療過誤防止システムをさらに導入し、ＳＮＰ情報に貼り付けられたカード型装置識別情報と発行されたカード型装置識別情報との一致を確認してもよい。これによってＳＮＰ情報と患者本人との関連が確認される。
【００７８】
［システム構成］
［システム構成−医療過誤防止装置１００］
次に、本医療過誤防止システムの構成について説明する。図３は、本発明が適用される医療過誤防止装置１００のシステム構成の一例を示すブロック図であり、該構成のうち本発明に関係する部分のみを概念的に示している。
【００７９】
本医療過誤防止システムは、概略的に、オーダーメイド医療の実用化に伴って複雑化する治療・投薬体系における医療過誤を防止することができる医療過誤防止装置１００と、個人情報を管理する個人情報管理用カード型装置２００と、個人情報管理用カード型装置２００に対して情報の読取および／または書込をするカードアクセス装置３００と、身体的特徴に関する情報または身体的特性に関する情報であるバイオメトリクス情報を検出するバイオメトリクスセンサ装置４００とを含んで構成される。
【００８０】
ここで、本発明において、医療過誤防止システムは、例えば、携帯型の医療過誤防止システムであってもよい。
【００８１】
図３において、カードアクセス装置３００は、医療過誤防止装置１００に対して情報の読取および／または書込をする機能を有する。
【００８２】
図３において、バイオメトリクスセンサ装置４００は、例えば、虹彩などの身体的特徴に関する情報、または、例えば、筆跡などの人間の動作等に関する身体的特性に関する情報であるバイオメトリクス情報を検出する機能を有する。
【００８３】
なお、図３において、バイオメトリクスセンサ装置４００は、医療過誤防止装置１００に接続されている場合を一例に示しているが、かかる場合に限定されることなく、カードアクセス装置３００に接続されてもよい。
【００８４】
図３において、医療過誤防止装置１００は、概略的に、医療過誤防止装置１００の全体を統括的に制御するＣＰＵ等の制御部１０２、通信回線等に接続されるルータ等の通信装置（図示せず）、カードアクセス装置３００、および、バイオメトリクスセンサ装置４００に接続される通信制御インターフェース部１０４、入力装置１１２や出力装置１１４に接続される入出力制御インターフェース部１０８、および、各種のデータベースやファイルなどを格納する記憶部１０６を備えて構成されており、これら各部は任意の通信路を介して通信可能に接続されている。さらに、この医療過誤防止装置１００は、ルータ等の通信装置（図示せず）および専用線等の有線または無線の通信回線を介して、各種の通信ネットワークに通信可能に接続されてもよい。
【００８５】
図３の記憶部１０６に格納される各種のデータベースやテーブルやファイル（バイオメトリクス情報ファイル１０６ａ〜ＳＮＰ情報ファイル１０６ｅ）は、固定ディスク装置等のストレージ手段であり、各種処理に用いる各種のプログラムやテーブルやファイルやデータベースやウェブページ用ファイル等を格納する。
【００８６】
これら記憶部１０６の各構成要素のうち、バイオメトリクス情報ファイル１０６ａは、バイオメトリクスセンサ装置４００より取得したバイオメトリクス情報を格納するバイオメトリクス情報格納手段である。
【００８７】
図４は、バイオメトリクス情報ファイル１０６ａに格納される情報の一例を示す図である。このバイオメトリクス情報ファイル１０６ａに格納される情報は、図４に示すように、バイオメトリクス情報が格納されている。
【００８８】
また、発行カード型装置識別情報ファイル１０６ｂは、後述するカード型装置識別情報発行部１０２ｃにて発行されたカード型装置識別情報を格納する発行カード型装置識別情報格納手段である。
【００８９】
図５は、発行カード型装置識別情報ファイル１０６ｂに格納される情報の一例を示す図である。この発行カード型装置識別情報ファイル１０６ｂに格納される情報は、図５に示すように、カード型装置識別情報が格納されている。
【００９０】
また、カード型装置識別情報付処方箋情報ファイル１０６ｃは、カード型装置識別情報が付加された処方箋情報を格納するカード型装置識別情報付処方箋情報格納手段である。
【００９１】
図６は、カード型装置識別情報付処方箋情報ファイル１０６ｃに格納される情報の一例を示す図である。このカード型装置識別情報付処方箋情報ファイル１０６ｃに格納される情報は、図６に示すように、カード型装置識別情報と、処方箋情報とを相互に関連付けて格納されている。
【００９２】
また、取得カード型装置識別情報ファイル１０６ｄは、取得されたカード型装置識別情報を格納する取得カード型装置識別情報格納手段である。
【００９３】
図７は、取得カード型装置識別情報ファイル１０６ｄに格納される情報の一例を示す図である。この取得カード型装置識別情報ファイル１０６ｄに格納される情報は、図７に示すように、カード型装置識別情報が格納されている。
【００９４】
また、ＳＮＰ情報ファイル１０６ｅは、ＳＮＰ情報を格納するＳＮＰ情報格納手段である。
【００９５】
図８は、ＳＮＰ情報ファイル１０６ｅに格納される情報の一例を示す図である。このＳＮＰ情報ファイル１０６ｅに格納される情報は、図８に示すように、ＳＮＰ情報が格納されている。
【００９６】
また、図３において、通信制御インターフェース部１０４は、医療過誤防止装置１００とカードアクセス装置３００（またはルータ等の通信装置）、および、医療過誤防止装置１００とバイオメトリクスセンサ装置４００（またはルータ等の通信装置）との間における通信制御を行う。すなわち、通信制御インターフェース部１０４は、他の端末と通信回線を介してデータを通信する機能を有する。
【００９７】
また、図３において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、キーボード、マウス、および、マイク等を用いることができる。また、モニタも、マウスと協働してポインティングデバイス機能を実現する。
【００９８】
また、図３において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、バイオメトリクス情報取得部１０２ａ、本人認証部１０２ｂ、カード型装置識別情報発行部１０２ｃ、処方箋情報取得部１０２ｄ、カード型装置識別情報付加部１０２ｅ、カード型装置識別情報付処方箋情報登録部１０２ｆ、カード型装置識別情報取得部１０２ｇ、カード型装置識別情報一致確認部１０２ｈ、ＳＮＰ情報取得部１０２ｉ、ＳＮＰ情報登録部１０２ｊを含んで構成されている。
【００９９】
このうち、バイオメトリクス情報取得部１０２ａは、バイオメトリクスセンサ装置４００よりバイオメトリクス情報を取得するバイオメトリクス情報取得手段である。
【０１００】
また、本人認証部１０２ｂは、個人情報管理用カード型装置２００に格納された本人のバイオメトリクス情報に基づいて、取得されたバイオメトリクス情報を認証する本人認証手段である。
【０１０１】
また、カード型装置識別情報発行部１０２ｃは、取得されたバイオメトリクス情報が本人のバイオメトリクス情報であることが本人認証手段により認証された場合、個人情報管理用カード型装置２００に格納されたカード型装置識別情報を発行するカード型装置識別情報発行手段である。
【０１０２】
また、処方箋情報取得部１０２ｄは、処方箋情報を取得する処方箋情報取得手段である。
【０１０３】
また、カード型装置識別情報付加部１０２ｅは、処方箋情報に、発行されたカード型装置識別情報を付加するカード型装置識別情報付加手段である。
【０１０４】
また、カード型装置識別情報付処方箋情報登録部１０２ｆは、カード型装置識別情報が付加された処方箋情報を登録するカード型装置識別情報付処方箋情報登録手段である。
【０１０５】
また、カード型装置識別情報取得部１０２ｇは、カード型装置識別情報を取得するカード型装置識別情報取得手段である。
【０１０６】
また、カード型装置識別情報一致確認部１０２ｈは、取得されたカード型装置識別情報と、発行されたカード型装置識別情報との一致を確認するカード型装置識別情報一致確認手段である。
【０１０７】
また、ＳＮＰ情報取得部１０２ｉは、取得されたカード型装置識別情報と発行されたカード型装置識別情報との一致がカード型装置識別情報一致確認手段により確認された場合、本人のＳＮＰ情報を取得するＳＮＰ情報取得手段である。
【０１０８】
さらに、ＳＮＰ情報登録部１０２ｊは、取得された本人のＳＮＰ情報を個人情報管理用カード型装置２００に登録するＳＮＰ情報登録手段である。
【０１０９】
なお、これら各部によって行われる処理の詳細については、後述する。
【０１１０】
［システム構成−個人情報管理用カード型装置２００］
さらに、本医療過誤防止システムの構成について説明する。図９は、本発明が適用される個人情報管理用カード型装置２００のシステム構成の一例を示すブロック図であり、該構成のうち本発明に関係する部分のみを概念的に示している。
【０１１１】
本医療過誤防止システムは、概略的に、オーダーメイド医療の実用化に伴って複雑化する治療・投薬体系における医療過誤を防止することができる医療過誤防止装置１００と、個人情報を管理する個人情報管理用カード型装置２００と、個人情報管理用カード型装置２００に対して情報の読取および／または書込をするカードアクセス装置３００と、身体的特徴に関する情報または身体的特性に関する情報であるバイオメトリクス情報を検出するバイオメトリクスセンサ装置４００とを含んで構成される。
【０１１２】
図９において、個人情報管理用カード型装置２００は、概略的に、個人情報管理用カード型装置２００の全体を統括的に制御するＣＰＵ等の制御部２０２、通信回線等に接続されるルータ等の通信装置（図示せず）、および、カードアクセス装置３００に接続される通信制御インターフェース部２０４、および、各種のデータベースやファイルなどを格納する記憶部２０６を備えて構成されており、これら各部は任意の通信路を介して通信可能に接続されている。さらに、この個人情報管理用カード型装置２００は、ルータ等の通信装置（図示せず）および専用線等の有線または無線の通信回線を介して、各種の通信ネットワークに通信可能に接続されてもよい。
【０１１３】
図９の記憶部２０６に格納される各種のデータベースやテーブルやファイル（バイオメトリクス情報ファイル２０６ａ〜ＳＮＰ情報ファイル２０６ｃ）は、固定ディスク装置等のストレージ手段であり、各種処理に用いる各種のプログラムやテーブルやファイルやデータベースやウェブページ用ファイル等を格納する。
【０１１４】
これら記憶部２０６の各構成要素のうち、バイオメトリクス情報ファイル２０６ａは、本人のバイオメトリクス情報を格納するバイオメトリクス情報格納手段である。
【０１１５】
図１０は、バイオメトリクス情報ファイル２０６ａに格納される情報の一例を示す図である。このバイオメトリクス情報ファイル２０６ａに格納される情報は、図１０に示すように、本人のバイオメトリクス情報が格納されている。
【０１１６】
また、カード型装置識別情報ファイル２０６ｂは、カード型装置識別情報を格納するカード型装置識別情報格納手段である。
【０１１７】
図１１は、カード型装置識別情報ファイル２０６ｂに格納される情報の一例を示す図である。このカード型装置識別情報ファイル２０６ｂに格納される情報は、図１１に示すように、カード型装置識別情報が格納されている。
【０１１８】
また、ＳＮＰ情報ファイル２０６ｃは、本人のＳＮＰ情報を格納するＳＮＰ情報格納手段である。
【０１１９】
図１２は、ＳＮＰ情報ファイル２０６ｃに格納される情報の一例を示す図である。このＳＮＰ情報ファイル２０６ｃに格納される情報は、図１２に示すように、本人のＳＮＰ情報が格納されている。
【０１２０】
また、図９において、通信制御インターフェース部２０４は、個人情報管理用カード型装置２００とカードアクセス装置３００（またはルータ等の通信装置）との間における通信制御を行う。すなわち、通信制御インターフェース部２０４は、他の端末と通信回線を介してデータを通信する機能を有する。
【０１２１】
また、図９において、制御部２０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部２０２は、機能概念的に、バイオメトリクス情報格納部２０２ａ、カード型装置識別情報格納部２０２ｂ、ＳＮＰ情報格納部２０２ｃを含んで構成されている。
【０１２２】
このうち、バイオメトリクス情報格納部２０２ａは、本人のバイオメトリクス情報を格納するバイオメトリクス情報格納手段である。
【０１２３】
また、カード型装置識別情報格納部２０２ｂは、カード型装置識別情報を格納するカード型装置識別情報格納手段である。
【０１２４】
また、ＳＮＰ情報格納部２０２ｃは、本人のＳＮＰ情報を格納するＳＮＰ情報格納手段である。
【０１２５】
なお、これら各部によって行われる処理の詳細については、後述する。
【０１２６】
［システムの処理］
次に、このように構成された本実施の形態における本医療過誤防止システムの処理の一例について、以下に図１３等を参照して詳細に説明する。なお、本実施の形態においては個人情報管理用カード型装置２００に予め必要な情報が格納されている場合を一例に説明する。
【０１２７】
（メイン処理）
図１３は、本実施形態における本医療過誤防止システムのメイン処理の一例を示すフローチャートである。
【０１２８】
まず、医療過誤防止装置１００は、バイオメトリクス情報取得部１０２ａの処理により、バイオメトリクスセンサ装置４００よりバイオメトリクス情報を取得し、バイオメトリクス情報ファイル１０６ａの所定の領域に格納する（ステップＳＡ−１）。
【０１２９】
ついで、医療過誤防止装置１００は、本人認証部１０２ｂの処理により、予め個人情報管理用カード型装置２００のバイオメトリクス情報ファイル２０６ａの所定の領域に格納された本人のバイオメトリクス情報に基づいて、ステップＳＡ−１にて取得されたバイオメトリクス情報を認証する（ステップＳＡ−２）。
【０１３０】
さらに、医療過誤防止装置１００は、カード型装置識別情報発行部１０２ｃの処理により、ステップＳＡ−１にて取得されたバイオメトリクス情報が本人のバイオメトリクス情報であることがステップＳＡ−２にて認証された場合、予め個人情報管理用カード型装置２００のカード型装置識別情報ファイル２０６ｂの所定の領域に格納されたカード型装置識別情報を発行し、発行カード型装置識別情報ファイル１０６ｂの所定に領域に格納する（ステップＳＡ−３）。
【０１３１】
ここで、医療機関において管理・運用されている医療システムに対し、本医療過誤防止システムを処方箋発行時に導入し、当該医療システムにおいて作成・管理されている医師の処方箋に対して、発行されたカード型装置識別情報を付加してもよい。なお、カード型装置識別情報発行には患者本人により個人情報管理用カード型装置２００へのバイオメトリクス認証が必要であり、これによって処方箋と患者本人とを確実に関連付けることができる。ここで、本実施形態における本医療過誤防止システムの識別情報付加処理について、図１４を参照して説明する。
【０１３２】
（識別情報付加処理）
図１４は、本実施形態における本医療過誤防止システムの識別情報付加処理の一例を示すフローチャートである。
【０１３３】
まず、医療過誤防止装置１００は、処方箋情報取得部１０２ｄの処理により、医師が作成した処方箋情報を取得し、カード型装置識別情報付処方箋情報ファイル１０６ｃの「処方箋情報」の項に格納する（ステップＳＢ−１）。
【０１３４】
ついで、医療過誤防止装置１００は、カード型装置識別情報付加部１０２ｅの処理により、ステップＳＡ−３にて発行されたカード型装置識別情報を付加し、カード型装置識別情報付処方箋情報ファイル１０６ｃの「カード型装置識別情報」の項に格納する（ステップＳＢ−２）。
【０１３５】
さらに、医療過誤防止装置１００は、カード型装置識別情報付処方箋情報登録部１０２ｆの処理により、カード型装置識別情報付加部１０２ｅによりカード型装置識別情報が付加された処方箋情報を登録する（ステップＳＢ−３）。
【０１３６】
なお、紙媒体の処方箋に対して、発行されたカード型装置識別情報を付加してもよい。
【０１３７】
これにて、識別情報付加処理が終了する。
【０１３８】
また、医療機関において管理・運用されている医療システムに対し、本医療過誤防止システムを投薬時にさらに導入し、投薬時に処方薬に付されたカード型装置識別情報と発行されたカード型装置識別情報との一致をさらに確認してもよい。なお、この確認時にも、カード型装置識別情報発行には患者本人のバイオメトリクス認証が必要であり、これによって処方薬と患者本人との関連が確認でき、医療過誤を効果的に防ぐことができる。ここで、本実施形態における本医療過誤防止システムの識別情報一致・確認処理について、図１５を参照して説明する。
【０１３９】
ここで、本実施形態において、医療過誤防止システムは、例えば、携帯型の医療過誤防止システムであってもよい。
【０１４０】
（識別情報一致・確認処理）
図１５は、本実施形態における本遺伝子情報管理システムの識別情報一致・確認処理の一例を示すフローチャートである。
【０１４１】
まず、医療過誤防止装置１００は、カード型装置識別情報取得部１０２ｇの処理により、カード型装置識別情報を取得し、取得カード型装置識別情報ファイル１０６ｄの所定の領域に格納する（ステップＳＣ−１）。
【０１４２】
さらに、医療過誤防止装置１００は、カード型装置識別情報一致確認部１０２ｈの処理により、ステップＳＣ−１にて取得されたカード型装置識別情報と、発行されたカード型装置識別情報との一致を確認する（ステップＳＣ−２）。
【０１４３】
これにて、識別情報一致・確認処理が終了する。
【０１４４】
また、ＳＮＰ情報を抽出するための採血時に本医療過誤防止システムを導入し、発行されたカード型装置識別情報を採血管に貼り付けてもよい。なお、カード型装置識別情報発行には患者本人により個人情報管理用カード型装置２００へのバイオメトリクス認証が必要であり、これによって採血管と患者本人とが関連付けられる。
【０１４５】
また、抽出したＳＮＰ情報の個人情報管理用カード型装置２００への登録時に本医療過誤防止システムをさらに導入し、ＳＮＰ情報に貼り付けられたカード型装置識別情報と発行されたカード型装置識別情報との一致を確認してもよい。なお、この確認時にも、カード型装置識別情報発行には患者本人のバイオメトリクス認証が必要であり、これによってＳＮＰ情報と患者本人との関連が確認される。ここで、本実施形態における本医療過誤防止システムのＳＮＰ情報登録処理について、図１６を参照して説明する。
【０１４６】
（ＳＮＰ情報登録処理）
図１６は、本実施形態における本遺伝子情報管理システムのＳＮＰ情報登録処理の一例を示すフローチャートである。
【０１４７】
まず、医療過誤防止装置１００は、ＳＮＰ情報取得部１０２ｉの処理により、カード型装置識別情報取得部１０２ｇにより取得されたカード型装置識別情報と発行されたカード型装置識別情報との一致がカード型装置識別情報一致確認部１０２ｈにより確認された場合、本人のＳＮＰ情報を取得し、ＳＮＰ情報ファイル１０６ｅの所定の領域に格納する（ステップＳＤ−１）。
【０１４８】
さらに、医療過誤防止装置１００は、ＳＮＰ情報登録部１０２ｊの処理により、ＳＮＰ情報取得部１０２ｉにより取得された本人のＳＮＰ情報を個人情報管理用カード型装置２００のＳＮＰ情報ファイル２０６ｃの所定の領域に登録する（ステップＳＤ−２）。
【０１４９】
これにて、ＳＮＰ情報登録処理が終了する。
【０１５０】
以上、メイン処理が終了する。
【０１５１】
［実施例１］
次に、実施例１の詳細について、図１７を参照して説明する。実施例１では、医療機関において管理・運用されている医療システムに対し、本医療過誤防止システムを処方箋発行時（ＭＡ−１）と、投薬時（ＭＡ−２）とに導入した場合を一例に示す。
【０１５２】
なお、この導入により、処方箋と患者との関連、および、処方薬と患者との関連が明確になり、患者の取り違えによる投薬ミスを確実に防ぐことができる。
【０１５３】
図１７は、ＩＣカードによる投薬モデルの一例を示す図である。
【０１５４】
なお、実施例１の説明において、「ＩＣカード」は本実施形態における個人情報管理用カード型装置２００に、「カードＩＤ」は本実施形態におけるカード型装置識別情報に対応する。また、「処方箋ＩＤ」は処方箋に貼り付けられた本実施形態におけるカード型装置識別情報を意味する。
【０１５５】
まず、診察室における医師の処方箋発行時に、ＩＣカードのカードＩＤを発行（本実施形態における医療過誤防止装置１００のカード型装置識別情報発行部１０２ｃにて行われる処理に対応）して処方箋に貼り付ける（本実施形態における医療過誤防止装置１００の処方箋情報取得部１０２ｄ乃至カード型装置識別情報付処方箋情報登録部１０２ｆにて行われる処理に対応）（処方箋ＩＤ）。なお、カードＩＤ発行（本実施形態における医療過誤防止装置１００のカード型装置識別情報発行部１０２ｃにて行われる処理に対応）には患者本人によりＩＣカードへのバイオメトリクス認証（本実施形態における医療過誤防止装置１００のバイオメトリクス情報取得部１０２ａおよび本人認証部１０２ｂにて行われる処理に対応）が必要であり、これによって処方箋と患者本人とが関連付けられる（ＭＡ−１）。
【０１５６】
ついで、処方箋ＩＤは処方薬にも貼り付けられ、看護士による投薬の場では処方薬の処方箋ＩＤとＩＣカードのカードＩＤとの一致を確認する（本実施形態における医療過誤防止装置１００のカード型装置識別情報取得部１０２ｇおよびカード型装置識別情報一致確認部１０２ｈにて行われる処理に対応）。なお、この確認（本実施形態における医療過誤防止装置１００のカード型装置識別情報取得部１０２ｇおよびカード型装置識別情報一致確認部１０２ｈにて行われる処理に対応）時にも、カードＩＤの発行（本実施形態における医療過誤防止装置１００のカード型装置識別情報発行部１０２ｃにて行われる処理に対応）には患者本人のバイオメトリクス認証（本実施形態における医療過誤防止装置１００のバイオメトリクス情報取得部１０２ａおよび本人認証部１０２ｂにて行われる処理に対応）が必要であり、これによって処方薬と患者本人との関連が確認される（ＭＡ−２）。
【０１５７】
ここで、医療過誤防止システムは、携帯型の医療過誤防止システムでもよく、看護士が携帯型の医療過誤防止システムを用いて病室で患者本人と処方箋との一致確認を行ってもよい。
【０１５８】
［実施例２］
次に、実施例２の詳細について、図１８を参照して説明する。実施例２では、本医療過誤防止システムを、ＳＮＰ情報を抽出するための採血時と、抽出したＳＮＰ情報のＩＣカードへの登録時とに導入した場合の一例を示す。
【０１５９】
図１８は、ＩＣカードによるＳＮＰ登録モデルの一例を示す図である。
【０１６０】
なお、実施例２の説明において、「ＩＣカード」は本実施形態における個人情報管理用カード型装置２００に、「カードＩＤ」は本実施形態におけるカード型装置識別情報に対応する。
【０１６１】
まず、ＳＮＰ情報を抽出するための採血時に、ＩＣカードのカードＩＤを発行（本実施形態における医療過誤防止装置１００のカード型装置識別情報発行部１０２ｃにて行われる処理に対応）して採血管に貼り付ける。なお、カードＩＤ発行（本実施形態における医療過誤防止装置１００のカード型装置識別情報発行部１０２ｃにて行われる処理に対応）には患者本人によりＩＣカードへのバイオメトリクス認証（本実施形態における医療過誤防止装置１００のバイオメトリクス情報取得部１０２ａおよび本人認証部１０２ｂにて行われる処理に対応）が必要であり、これによって採血管と患者本人とが関連付けられる（ＭＢ−１）。
【０１６２】
ついで、採血管に付されたＩＤはＳＮＰ情報に貼り付けられ、抽出したＳＮＰ情報のＩＣカードへの登録（本実施形態における医療過誤防止装置１００のＳＮＰ情報取得部１０２ｉおよびＳＮＰ情報登録部１０２ｊにて行われる処理に対応）時に、ＳＮＰ情報に貼り付けられたＩＤとＩＣカードのカードＩＤとの一致を確認する（本実施形態における医療過誤防止装置１００のカード型装置識別情報取得部１０２ｇおよびカード型装置識別情報一致確認部１０２ｈにて行われる処理に対応）。なお、この確認（本実施形態における医療過誤防止装置１００のカード型装置識別情報取得部１０２ｇおよびカード型装置識別情報一致確認部１０２ｈにて行われる処理に対応）時にも、カードＩＤの発行（本実施形態における医療過誤防止装置１００のカード型装置識別情報発行部１０２ｃにて行われる処理に対応）には患者本人のバイオメトリクス認証（本実施形態における医療過誤防止装置１００のバイオメトリクス情報取得部１０２ａおよび本人認証部１０２ｂにて行われる処理に対応）が必要であり、これによってＳＮＰ情報と患者本人との関連が確認される（ＭＢ−２）。
【０１６３】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１６４】
例えば、医療過誤防止装置１００、および、個人情報管理用カード型装置２００がスタンドアローンの形態で処理を行う場合を一例に説明したが、医療過誤防止装置１００、および、個人情報管理用カード型装置２００とは別筐体で構成されるクライアント端末からの要求に応じて処理を行い、その処理結果を当該クライアント端末に返却するように構成してもよい。
【０１６５】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１６６】
この他、上記文書中や図面中で示した処理手順、制御手順、具体的名称、各種の登録データや検索条件等のパラメータを含む情報、画面例、データベース構成については、特記する場合を除いて任意に変更することができる。
【０１６７】
また、医療過誤防止装置１００、および、個人情報管理用カード型装置２００に関して、図示の各構成要素は機能概念的なものであり、必ずしも物理的に図示の如く構成されていることを要しない。
【０１６８】
例えば、医療過誤防止装置１００、および、個人情報管理用カード型装置２００の各部または各装置が備える処理機能、特に制御部１０２、および、制御部２０２にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。
【０１６９】
すなわち、ＲＯＭまたはＨＤなどの記憶部１０６、および、記憶部２０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２、および、制御部２０２を構成する。
【０１７０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７１】
記憶部１０６、および、記憶部２０６に格納される各種のファイル等（記憶部１０６：バイオメトリクス情報ファイル１０６ａ〜ＳＮＰ情報ファイル１０６ｅ、記憶部２０６：バイオメトリクス情報ファイル２０６ａ〜ＳＮＰ情報ファイル２０６ｃ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１７２】
また、医療過誤防止装置１００、および、個人情報管理用カード型装置２００は、既知のパーソナルコンピュータ、ワークステーション等の情報処理端末等の情報処理装置および携帯型の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１７３】
また、医療過誤防止装置１００、および、個人情報管理用カード型装置２００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１７４】
さらに、カードアクセス装置３００は、医療過誤防止装置１００と個人情報管理用カード型装置２００とを相互に接続する機能を有す。
【０１７５】
【発明の効果】
以上、詳細に説明したように、本発明によれば、個人情報管理用装置は、本人の身体的特徴に関する情報または身体的特性に関する情報であるバイオメトリクス情報を格納し、個人情報管理用装置を一意に識別するための装置識別情報を格納し、医療過誤防止装置は、バイオメトリクスセンサ装置よりバイオメトリクス情報を取得し、格納された本人のバイオメトリクス情報に基づいて、取得されたバイオメトリクス情報を認証し、取得されたバイオメトリクス情報が本人のバイオメトリクス情報であることが認証された場合、格納された装置識別情報を発行するので、今までセキュリティとして主に用いられてきたバイオメトリクス認証技術を、本人と「何か」を確実に結びつけるために使うことができる医療過誤防止システムおよび医療過誤防止方法を提供することができる。
【０１７６】
また、本発明によれば、オーダーメイド医療の実用化に伴って複雑化する治療・投薬体系における医療過誤を確実に防止することができる医療過誤防止システムおよび医療過誤防止方法を提供することができる。
【０１７７】
また、本発明によれば、医療機関における患者の取り違えを確実に防止することができる医療過誤防止システムおよび医療過誤防止方法を提供することができる。
【０１７８】
また、本発明によれば、発行された装置識別情報を紙媒体などに付加してもよく、これにより、付加された装置識別情報を光学式リーダ装置などで読み取ることで、本人と「何か（例えば、処方箋、処方薬、採血管、遺伝子多型情報など）」を確実に結びつけることができる医療過誤防止システムおよび医療過誤防止方法を提供することができる。
【０１７９】
また、本発明によれば、医療過誤防止装置は、医師が作成した処方箋情報を取得し、取得された処方箋情報に、発行された装置識別情報を付加し、装置識別情報が付加された処方箋情報を登録するので、処方箋情報と患者本人とを確実に関連付けることができる医療過誤防止システムおよび医療過誤防止方法を提供することができる。
【０１８０】
また、本発明によれば、医療過誤防止装置は、装置識別情報を取得し、取得された装置識別情報と、発行された装置識別情報との一致を確認するので、取得された装置識別情報が患者本人の装置識別情報であることを確実に確認することができる医療過誤防止システムおよび医療過誤防止方法を提供することができる。
【０１８１】
また、本発明によれば、個人情報管理用装置は、本人の遺伝子多型情報を格納し、医療過誤防止装置は、取得された装置識別情報と発行された装置識別情報との一致が確認された場合、本人の遺伝子多型情報を取得し、取得された本人の遺伝子多型情報を個人情報管理用装置に登録するので、本人の遺伝子多型情報を個人情報管理用装置に確実に登録することができる医療過誤防止システムおよび医療過誤防止方法を提供することができる。
【０１８２】
また、本発明によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる医療過誤防止システムおよび医療過誤防止方法を提供することができる。
【０１８３】
また、本発明によれば、バイオメトリクスセンサ装置より本人の身体的特徴に関する情報または身体的特性に関する情報であるバイオメトリクス情報を取得し、個人情報管理用装置に格納された本人のバイオメトリクス情報に基づいて、取得されたバイオメトリクス情報を認証し、取得されたバイオメトリクス情報が本人のバイオメトリクス情報であることが認証された場合、個人情報管理用装置に格納された個人情報管理用装置を一意に識別するための装置識別情報を発行するので、今までセキュリティとして主に用いられてきたバイオメトリクス認証技術を、本人と「何か」を確実に結びつけるために使うことができる医療過誤防止装置および医療過誤防止装置にて実行されるプログラムを提供することができる。
【０１８４】
また、本発明によれば、オーダーメイド医療の実用化に伴って複雑化する治療・投薬体系における医療過誤を確実に防止することができる医療過誤防止装置および医療過誤防止装置にて実行されるプログラムを提供することができる。
【０１８５】
また、本発明によれば、医療機関における患者の取り違えを確実に防止することができる医療過誤防止装置および医療過誤防止装置にて実行されるプログラムを提供することができる。
【０１８６】
また、本発明によれば、発行された装置識別情報を紙媒体などに付加してもよく、これにより、付加された装置識別情報を光学式リーダ装置などで読み取ることで、本人と「何か（例えば、処方箋、処方薬、採血管、遺伝子多型情報など）」を確実に結びつけることができる医療過誤防止装置および医療過誤防止装置にて実行されるプログラムを提供することができる。
【０１８７】
また、本発明によれば、医師が作成した処方箋情報を取得し、取得された処方箋情報に、発行された装置識別情報を付加し、装置識別情報が付加された処方箋情報を登録するので、処方箋情報と患者本人とを確実に関連付けることができる医療過誤防止装置および医療過誤防止装置にて実行されるプログラムを提供することができる。
【０１８８】
また、本発明によれば、装置識別情報を取得し、取得された装置識別情報と、発行された装置識別情報との一致を確認するので、取得された装置識別情報が患者本人の装置識別情報であることを確実に確認することができる医療過誤防止装置および医療過誤防止装置にて実行されるプログラムを提供することができる。
【０１８９】
また、本発明によれば、取得された装置識別情報と発行された装置識別情報との一致が確認された場合、本人の遺伝子多型情報を取得し、取得された本人の遺伝子多型情報を個人情報管理用装置に登録するので、本人の遺伝子多型情報を個人情報管理用装置に確実に登録することができる医療過誤防止装置および医療過誤防止装置にて実行されるプログラムを提供することができる。
【０１９０】
さらに、本発明によれば、遺伝子多型情報は、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる医療過誤防止装置および医療過誤防止装置にて実行されるプログラムを提供することができる。
【図面の簡単な説明】
【図１】本発明における医療過誤防止システムの概要を示す図である。
【図２】本発明における医療過誤防止システムの基本原理を示すフローチャートである。
【図３】本発明が適用される医療過誤防止装置１００のシステム構成の一例を示すブロック図である。
【図４】バイオメトリクス情報ファイル１０６ａに格納される情報の一例を示す図である。
【図５】発行カード型装置識別情報ファイル１０６ｂに格納される情報の一例を示す図である。
【図６】カード型装置識別情報付処方箋情報ファイル１０６ｃに格納される情報の一例を示す図である。
【図７】取得カード型装置識別情報ファイル１０６ｄに格納される情報の一例を示す図である。
【図８】ＳＮＰ情報ファイル１０６ｅに格納される情報の一例を示す図である。
【図９】本発明が適用される個人情報管理用カード型装置２００のシステム構成の一例を示すブロック図である。
【図１０】バイオメトリクス情報ファイル２０６ａに格納される情報の一例を示す図である。
【図１１】カード型装置識別情報ファイル２０６ｂに格納される情報の一例を示す図である。
【図１２】ＳＮＰ情報ファイル２０６ｃに格納される情報の一例を示す図である。
【図１３】本実施形態における本医療過誤防止システムのメイン処理の一例を示すフローチャートである。
【図１４】本実施形態における本医療過誤防止システムの識別情報付加処理の一例を示すフローチャートである。
【図１５】本実施形態における本遺伝子情報管理システムの識別情報一致・確認処理の一例を示すフローチャートである。
【図１６】本実施形態における本遺伝子情報管理システムのＳＮＰ情報登録処理の一例を示すフローチャートである。
【図１７】ＩＣカードによる投薬モデルの一例を示す図である。
【図１８】ＩＣカードによるＳＮＰ登録モデルの一例を示す図である。
【符号の説明】
１００  医療過誤防止装置
１０２  制御部
１０２ａ  バイオメトリクス情報取得部
１０２ｂ  本人認証部
１０２ｃ  カード型装置識別情報発行部
１０２ｄ  処方箋情報取得部
１０２ｅ  カード型装置識別情報付加部
１０２ｆ  カード型装置識別情報付処方箋情報登録部
１０２ｇ  カード型装置識別情報取得部
１０２ｈ  カード型装置識別情報一致確認部
１０２ｉ  ＳＮＰ情報取得部
１０２ｊ  ＳＮＰ情報登録部
１０４  通信制御インターフェース部
１０６  記憶部
１０６ａ  バイオメトリクス情報ファイル
１０６ｂ  発行カード型装置識別情報ファイル
１０６ｃ  カード型装置識別情報付処方箋情報ファイル
１０６ｄ  取得カード型装置識別情報ファイル
１０６ｅ  ＳＮＰ情報ファイル
１０８  入出力制御インターフェース部
１１２  入力装置
１１４  出力装置
２００  個人情報管理用カード型装置
２０２  制御部
２０２ａ  バイオメトリクス情報格納部
２０２ｂ  カード型装置識別情報格納部
２０２ｃ  ＳＮＰ情報格納部
２０４  通信制御インターフェース部
２０６  記憶部
２０６ａ  バイオメトリクス情報ファイル
２０６ｂ  カード型装置識別情報ファイル
２０６ｃ  ＳＮＰ情報ファイル
３００  カードアクセス装置
４００  バイオメトリクスセンサ装置
【図１】
2004287620.tif 000003
【図２】
2004287620.tif 000004
【図３】
2004287620.tif 000005
【図４】
2004287620.tif 000006
【図５】
2004287620.tif 000007
【図６】
2004287620.tif 000008
【図７】
2004287620.tif 000009
【図８】
2004287620.tif 000010
【図９】
2004287620.tif 000011
【図１０】
2004287620.tif 000012
【図１１】
2004287620.tif 000013
【図１２】
2004287620.tif 000014
【図１３】
2004287620.tif 000015
【図１４】
2004287620.tif 000016
【図１５】
2004287620.tif 000017
【図１６】
2004287620.tif 000018
【図１７】
2004287620.tif 000019
【図１８】
2004287620.tif 000020